(57)【要約】【課題】携帯情報端末機の表示部が視認し易く且つ装飾効果を十分に発揮すると共に、前記表示部を外傷から保護することができる携帯情報端末機用の保護シートを提供することを目的とする。【解決手段】本考案は、携帯情報端末機の表示部に貼付される透明部と、表示部の周囲に形成された非表示部に貼付されると共に装飾体を印刷した非透明部とを一体的に成形した携帯情報端末機用の保護シートであって、前記透明部は覗き見を防止するために視野角を制限したものである。【選択図】図１
0003127722.tif 000002
【実用新案登録請求の範囲】
【請求項１】
携帯情報端末機の表示部に貼付される透明部と、携帯情報端末機の非表示部に貼付されると共に装飾体を有する非透明部とからなる携帯情報端末機用の保護シート。
【請求項２】
携帯情報端末機の表示部に貼付される透明部と、表示部の周囲に形成された非表示部に貼付されると共に装飾体を印刷した非透明部とを一体的に成形した携帯情報端末機用の保護シート。
【請求項３】
前記透明部が、視野角が制限された透明部である請求項１又は２記載の携帯情報端末機用の保護シート。
【考案の詳細な説明】
【技術分野】
【０００１】
本考案は携帯情報端末機の液晶ディスプレイ等の表示部に貼付してその表面を保護するための保護シートに関する。
【背景技術】
【０００２】
携帯電話などの携帯情報端末機は、液晶ディスプレイ等からなる表示部を有するところ、表示部の上面に貼り付けて表面を保護するための透明な保護シートが存在する。かかる透明な保護シートは、表示部の形状に略ピッタリと沿うように成形される。すなわち、通常、液晶ディスプレイ等の表示部は長方形状であるので、保護シートもそれと略同じ形状で略同じ大きさに成形される。
【０００３】
ところで、近年、装飾性、広告性、メッセージ性等を付与する趣旨から、上記長方形状の保護シートの表面に文字や図形等を印刷したものが市販されている。
【考案の開示】
【考案が解決しようとする課題】
【０００４】
しかし、上記保護シートを携帯電話機の表示部に貼り付けると、透明保護シートに印刷された文字や図形等が障害となって表示部に示される文字等が見え難くなる。
【０００５】
一方、上記保護シートに対して装飾性、広告性等を高める趣旨から施された文字等も、表示部に表れる文字等と重なり合って見え難くなることから、装飾性等の目的を十分に果せるものではない。
【課題を解決するための手段】
【０００６】
そこで、本考案は、携帯情報端末機の表示部に貼付される透明部と、携帯情報端末機の非表示部に貼付されると共に装飾体を有する非透明部とからなる携帯情報端末機用の保護シートである。
【０００７】
また、本考案は、携帯情報端末機の表示部に貼付される透明部と、表示部の周囲に形成された非表示部に貼付されると共に装飾体を印刷した非透明部とを一体的に成形した携帯情報端末機用の保護シートである。
【０００８】
また、本考案は、前記透明部が、視野角が制限された透明部である請求項１又は２記載の携帯情報端末機用の保護シートである。
【考案の効果】
【０００９】
本考案は、携帯情報端末機の表示部に貼付される透明部と、携帯情報端末機の非表示部に貼付されると共に、文字、図形、アニメキャラクターなどの装飾体を有する非透明部とからなる携帯情報端末機用の保護シートであるから、前記装飾体と表示部に表れる文字等と重なり合うこともなく、携帯電話機の表示部が視認し易く且つ装飾効果を十分に発揮することができる。また、装飾部に施す色彩や文字・キャラクターの種類に制限がないから、多様な装飾体を施すことが可能となり、携帯情報端末機の体裁を良くすることができる。
【００１０】
また、携帯情報端末機の表示部を外傷から保護するのみならず、非表示部をも保護することができる。また、一体的に成形した場合は製造が容易である。さらに、視野角を制限する場合は覗き見を防止できる。
【考案を実施するための最良の形態】
【００１１】
以下、本考案の実施例を図１〜図２を参照しながら説明する。
【００１２】
本実施例に係る携帯電話機用の保護シートＳは、図１に示すとおり、全体として縦長長方形状の四隅をアール状に切り欠いた略小判状であって、透明部１と非透明部２を有する。
【００１３】
すなわち、本実施例に係る携帯電話機用の保護シートＳは、携帯電話機Ｐの表示部に貼付される透明部１と、携帯電話機Ｐの非表示部に貼付される非透明部２とを一体的にシート状に成形したものである。そして、非透明部３は色、文字、図名、アニメキャラクター等が印刷される。
【００１４】
透明部１は携帯電話機Ｐの表示部に貼付されるシートであり、表示部に示される電話番号等の各種情報を視認できるよう透明に構成される。つまり、携帯電話機Ｐの使用者は、透明部１が表示部に貼付された状態において、透明部１を介して表示部に示される各種情報を視認できるように構成される。
【００１５】
本実施例の表示部は例えば液晶ディスプレイであって、縦長長方形であるところ、透明部１は前記縦長長方形と略同一形状且つ略同一の大きさを有し、表示部の表面全体を覆うように貼付される。
【００１６】
また、本実施例の透明部１は、視野角が制限されたものとすることができる。すなわち、表示部１に表示される内容を覗き見されるのを防止するべく、視野角を制限するのである。視野角を制限するためのシート加工については公知の加工によって種々実施可能であり、例えば、偏光フィルム（微細な幅の溝を多数形成する構造や光の屈折率の低い高分子物質を縞状に配列した構造など）とし、正面からは見えるが、斜め・左右方向からは見えないようにして視野角を制限する。
【００１７】
非透明部２は携帯電話機Ｐの表示部の周囲に形成された非表示部に貼付されるシートであって非透明に構成され、透明部１を構成する縦長長方形状のシートと一体的に成形されている。
【００１８】
つまり、図１に示すとおり、携帯電話機用の保護シートＳの非透明部２は、略縦長長方形状の透明部１の上下にそれぞれ位置する略半円状の非透明部２ａ、２ｂと、透明部１の左右に位置する細長長方形状の非透明部２ｃ、２ｄとを有する。他方、本実施例の携帯電話機Ｐの表示部は縦長長方形状であって、表示部の周囲に形成された非表示部は、表示部の上下にそれぞれ略半円状の非表示部、表示部の左右に細長長方形状の非表示部を有するものである。したがって、かかる携帯電話機Ｐの表示部および非表示部に対して、携帯電話機用の保護シートＳの透明部１、略半円状の非透明部２ａ、２ｂ、細長長方形状の非透明部２ｃ、２ｄが貼付される。
【００１９】
そして、本実施例では、略半円状の非透明部２ａ、２ｂ、細長長方形状非透明部２ｃ、２ｄのすべてに同一の色（例えば黄色）を印刷して非透明部２を構成している。
【００２０】
なお、保護シートＳの透明部１、非透明部２のそれぞれの形状は、携帯電話機の表示部、非表示部の形状に対応して適宜変更される。
【００２１】
装飾体３は保護シートＳの非透明部２に付される文字、図形、色彩、アニメキャラクター等である。本実施例では、略半円状の非透明部２ｂに星型の装飾体３を複数印刷して形成した。なお、印刷方法は公知のものであれば特に問わない。
【００２２】
この実施例によれば、星型の装飾体と表示部に表れる文字等と重なり合うこともなく、携帯電話機Ｐの表示部が視認し易く且つ装飾効果を十分に発揮することができる。また、装飾部３に施す色彩や文字・キャラクターの種類に制限がないから、多様な装飾体を施すことが可能となり、携帯電話機Ｐの体裁を良くすることができる。
【００２３】
また、携帯電話機Ｐの表示部を外傷から保護するのみならず、非表示部をも保護することができる。
【００２４】
また、一体的に成形した場合は製造が容易であり、さらに、視野角を制限する場合は覗き見を防止できる。
【００２５】
また、装飾部３の種類の異なる複数の保護シートＳによれば、場所や気分に応じて任意に装飾を変更することもできる。つまり、一の携帯電話機Ｐに対して複数種類の保護シートＳ（装飾部が異なる保護シート）を用いることによって、場所や気分に応じて任意に装飾を変更することもできる。
【００２６】
なお、本実施例の携帯電話機Ｐは、表示部の上方向に形成された非表示部にカメラレンズ部、スピーカー部を有することから、携帯電話機用の保護シートＳは、レンズ用の穴４、スピーカー用の穴５がそれぞれ成形されており、図２のとおり、レンズ用の穴４、スピーカー用の穴５からそれぞれ、携帯電話機のカメラレンズ部、スピーカー部が露出するように構成されている。
【００２７】
また、保護シートＳの材質は特に問わず公知の各種樹脂を用いることができ、また、保護シートＳの裏面（携帯電話との接触する側の面）には公知の接着剤によって接着剤層が形成されており、「貼り付け／剥がし」を繰り返し行うことができる。
【００２８】
また、本実施例は携帯電話機Ｐに用いる場合を例示したが、ＰＤＡや小型ノートパソコンなどの携帯情報端末機に適用可能である。
【図面の簡単な説明】
【００２９】
【図１】本考案の実施例の斜視図
【図２】本考案の実施例を貼付した電話電話機示す斜視図
【符号の説明】
【００３０】
１  透明部
２  被透明部
３  装飾体
【図１】
0003127722.tif 000003
【図２】
0003127722.tif 000004